(57)【要約】【課題】外部からの視線を防いでプライバシーを確保するとともに、風雨等を効果的に防ぐことができ、しかも、玄関ポーチにおいて物品を収納することができる建物を提供することを目的とする。【解決手段】玄関ドア１ａとドア枠１ｂとを備えた玄関開口部１の屋外側に玄関ポーチ２が設けられ、この玄関ポーチ２の上方に外壁から張り出したバルコニー３が設けられており、前記玄関ポーチ２には、前記バルコニー３の先端部を支持する支持壁４が立設され、  前記支持壁４は前記玄関開口部１と略同一の幅を有し、かつ該玄関開口部１に対向して配置されていることを特徴とする建物。【選択図】図１
2007170026.tif 000002
【特許請求の範囲】
【請求項１】
玄関ドアとドア枠とを備えた玄関開口部の屋外側に玄関ポーチが設けられ、この玄関ポーチの上方に外壁から張り出したバルコニーが設けられており、
前記玄関ポーチには、前記バルコニーの先端部を支持する支持壁が立設され、
前記支持壁は前記玄関開口部と略同一の幅を有し、かつ該玄関開口部に対向して配置されていることを特徴とする建物。
【請求項２】
請求項１に記載の建物において、
前記支持壁は、一面側が開放されて凹部空間を有する断面コ字状に形成されており、この支持壁の開放された一面と前記玄関開口部とが対向していることを特徴とする建物。
【請求項３】
請求項２に記載の建物において、
前記支持壁の開放された一面に、この開放された一面を開閉可能に覆う蓋板が設けられていることを特徴とする建物。
【請求項４】
請求項２または３に記載の建物において、
前記支持壁には、前記凹部空間の内部と外部とを連通する通気孔が設けられていることを特徴とする建物。
【請求項５】
請求項２〜４のいずれか一項に記載の建物において、
前記支持壁には、郵便物類を投入するための郵便投入部が、前記凹部空間の内部と外部とを連通するようにして設けられ、前記凹部空間内には、前記郵便投入部から投入される郵便物を受ける郵便受け部が設けられていることを特徴とする建物。
【発明の詳細な説明】
【技術分野】
【０００１】
本発明は、玄関開口部の屋外側に玄関ポーチが設けられ、この玄関ポーチの上方に外壁から張り出したバルコニーが設けられた建物に関する。
【背景技術】
【０００２】
従来より、玄関ポーチに直接吹き付ける雨や雪、或いは照りつける太陽光を遮るために、玄関ポーチの上方に、外部に大きく張り出したバルコニーが設けられた住宅等の建物に関する技術が知られている（例えば、特許文献１参照）。
【０００３】
このような住宅は、玄関ポーチの上方に外壁から張り出したバルコニーが設けられ、このバルコニーの自重を支える２本の支持柱が、玄関開口部より前方位置の玄関ポーチから立ち上げられた構成となっている。
【特許文献１】特開２００２−２０６２８０号公報
【発明の開示】
【発明が解決しようとする課題】
【０００４】
ところが、特許文献１に記載の住宅の場合、前記バルコニーは２本の支持柱によって支持された状態であるため、一方の支持柱と他方の支持柱との間から雨や雪、太陽光が玄関ポーチへと入ってしまう場合があった。
しかも、玄関ポーチが道路に面している場合には、玄関ポーチの周辺が外部からの視線に晒されるだけでなく、玄関ドアを開放した際には建物内も外部からの視線に晒されるという問題があった。
【０００５】
また、玄関やその付近で使用する掃除用具等の物品や、傘やレインコート等の外部で使用する物品は、建物内に設けた専用の収納部に収納したりするが、収納部の分だけ建物内のスペースが狭くなるという問題がある。
【０００６】
本発明の課題は、外部からの視線を防いでプライバシーを確保するとともに、風雨等を効果的に防ぐことができ、しかも、玄関ポーチにおいて物品を収納することができる建物を提供することを目的とする。
【課題を解決するための手段】
【０００７】
請求項１に記載の発明は、建物Ａであり、例えば、図１および図２に示すように、玄関ドア１ａとドア枠１ｂとを備えた玄関開口部１の屋外側に玄関ポーチ２が設けられ、この玄関ポーチ２の上方に外壁から張り出したバルコニー３が設けられており、
前記玄関ポーチ２には、前記バルコニー３の先端部を支持する支持壁４が立設され、
前記支持壁４は前記玄関開口部１と略同一の幅を有し、かつ該玄関開口部１に対向して配置されていることを特徴とする。
【０００８】
請求項１に記載の発明によれば、前記支持壁４が前記玄関開口部１と略同一の幅を有し、かつ該玄関開口部１に対向して配置されているので、前記玄関開口部１および玄関ポーチ２を外部の視線から防ぐことが可能となり、プライバシーを確保することができる。
その上、前記玄関開口部１および玄関ポーチ２に向かって射し込む太陽光や、前記玄関開口部１および玄関ポーチ２に向かって打ち込む風雨等を、前記支持壁４によって効果的に防ぐことができる。
【０００９】
また、前記支持壁４によって前記バルコニー３が支持されているので、前記玄関ポーチ２の上方に容易にバルコニー３を設けることができる。しかも、前記バルコニー３は、前記支持壁４によって先端部を支持されていることから、前記バルコニー３の側面と支持壁４とを境目のない連続した壁面として設けることができるので、外観性を向上させることが可能となる。
【００１０】
請求項２に記載の発明は、例えば、図１に示すように、請求項１に記載の建物Ａにおいて、
前記支持壁４は、一面側が開放されて凹部空間５を有する断面コ字状に形成されており、この支持壁４の開放された一面と前記玄関開口部１とが対向していることを特徴とする。
【００１１】
請求項２に記載の発明によれば、前記凹部空間５を日用品等の収納スペースとして利用できるので、従来とは異なり、掃除用具や傘、レインコート等の外部で使用する物品を建物Ａ内に収納する必要がなくなり、建物Ａ内のスペースを広く確保することができる。
さらに、前記支持壁４の開放された一面と前記玄関開口部１とが対向しているので、前記凹部空間５の内部を外部の視線から防ぐことが可能となり、プライバシーを確保することができる。
【００１２】
請求項３に記載の発明は、例えば、図１および図３に示すように、請求項２に記載の建物Ａにおいて、
前記支持壁４の開放された一面に、この開放された一面を開閉可能に覆う蓋板６が設けられていることを特徴とする。
【００１３】
請求項３に記載の発明によれば、前記支持壁４の開放された一面に、この開放された一面を開閉可能に覆う蓋板６が設けられているので、前記支持壁４の凹部空間５を開閉戸が設けられた収納スペースとして利用することができる。これにより、前記蓋板６によって前記凹部空間５の遮蔽ができるので、前記凹部空間５の内部を玄関ポーチ２および外部の視線から防ぐことが可能となり、見映えが良く、プライバシーを確保することもできる。
【００１４】
請求項４に記載の発明は、例えば、図３に示すように、請求項２または３に記載の建物Ａにおいて、
前記支持壁４には、前記凹部空間５の内部と外部とを連通する通気孔７が設けられていることを特徴とする。
【００１５】
請求項４に記載の発明によれば、前記支持壁４に、前記凹部空間５の内部と外部とを連通する通気孔７が設けられているので、前記凹部空間５の通気性を向上させることが可能となり、前記凹部空間５に、雨に濡れた傘やレインコート等を収納する際に、乾燥を促すことができて好適に対応することができる。
【００１６】
請求項５に記載の発明は、例えば、図４に示すように、請求項２〜４のいずれか一項に記載の建物Ａにおいて、
前記支持壁４には、郵便物類を投入するための郵便投入部８が、前記凹部空間５の内部と外部とを連通するようにして設けられ、前記凹部空間５内には、前記郵便投入部８から投入される郵便物を受ける郵便受け部９が設けられていることを特徴とする。
【００１７】
請求項５に記載の発明によれば、前記支持壁４に郵便投入部８が設けられ、前記凹部空間５内に郵便受け部９が設けられていることから、玄関ポーチ２周辺のその他の場所に郵便受けを設ける必要がなく、玄関ポーチ２の周囲をすっきりさせることができるので、より外観性を向上させることができる。
【発明の効果】
【００１８】
本発明によれば、玄関ポーチに立設され、バルコニーの先端部を支持する支持壁が玄関開口部と略同一の幅を有し、かつ該玄関開口部に対向して配置されているので、前記玄関開口部および玄関ポーチを外部の視線から防ぐことが可能となり、プライバシーを確保することができる。
その上、前記玄関開口部および玄関ポーチに向かって射し込む太陽光や、前記玄関開口部および玄関ポーチに向かって打ち込む風雨等を、前記支持壁によって効果的に防ぐことができる。
【００１９】
また、前記支持壁は、一面側が開放されて凹部空間を有する断面コ字状に形成されていることから、前記凹部空間を日用品等の収納スペースとして利用できるので、従来とは異なり、掃除用具や傘、レインコート等の外部で使用する物品を建物内に収納する必要がなくなり、建物内のスペースを広く確保することが可能となる。
【発明を実施するための最良の形態】
【００２０】
以下、図面を参照して本発明に係る建物Ａの実施の形態について説明する。
【００２１】
本実施の形態の建物Ａは、図１および図２に示すように、玄関ドア１ａとドア枠１ｂとを備えた玄関開口部１の屋外側に玄関ポーチ２が設けられ、この玄関ポーチ２の上方に外壁から張り出したバルコニー３が設けられており、
前記玄関ポーチ２には、前記バルコニー３の先端部を支持する支持壁４が立設され、
前記支持壁４は前記玄関開口部１と略同一の幅を有し、かつ該玄関開口部１に対向して配置されている。
【００２２】
ここで、本実施の形態の建物Ａは、工場で製造した箱状の建物ユニットを、建築現場で複数連結させて構築するユニット式の建物となっている。
このユニット式建物を構成する建物ユニットとしては、四隅の柱の上下端を天井梁および床梁で連結した箱状のフレームを有している。また、フレームには、天井梁に支持される天井面材、床梁に支持される床面材および部屋を仕切る間仕切壁等の内装材や、軽量気泡コンクリート等で形成された外壁等の外装材が工場で組み付けられている。
【００２３】
そして、このようなユニット式建物によれば、工場において箱状のフレームに内装材や外装材の取り付け作業まで行って建物ユニットを製造した後、その建物ユニットを現場に運搬して連結作業を行うだけで建物が完成するから、建築現場での作業が大幅に削減され、工事を短期間で完了できるというメリットが得られるようになっている。
【００２４】
なお、本実施の形態の建物Ａは、このように複数の建物ユニットからなるユニット式の建物であるが、これに限られるものではない。すなわち、例えば、壁や床、屋根といった建物の構成要素を予め工場にてパネル化しておき、施工現場でこれらのパネルを組み立てて構築するパネル工法や、従来の軸組工法等等の建物にも適用することができる。
【００２５】
また、本実施の形態の建物Ａは、リビング１０やダイニング１１、キッチン１２を始め、浴室１３ａ等の水回り室１３や和室１４等、建物Ａ内部に複数の部屋を備えており、これら複数の部屋を備えた建物Ａの内部と、外部とを連通するものとして前記玄関開口部１が設けられた状態となっている。
【００２６】
この玄関開口部１は、玄関土間部１５を構成する一方の側壁１５ａの端部と他方の側壁１５ｂの端部との間にわたる比較的大きな開口を有した状態となっており、この開口に前記玄関ドア１ａとドア枠１ｂとを備えている。
【００２７】
前記玄関ポーチ２は、前記玄関開口部１の屋外側に設けられており、図２に示すように、地面よりも若干高くなるように設けられている。そのため、この玄関ポーチ２の側部には地面から玄関ポーチ２に上がるための階段２ａが設置されている。
【００２８】
一方、図２に示すように、前記玄関ポーチ２の上方には外壁から張り出したバルコニー３が設けられており、このバルコニー３は前記支持壁４によって、その先端部が支持された状態となっている。すなわち、このように支持壁４によってバルコニー３が支持されていることによって、前記玄関ポーチ２の上方に容易にバルコニー３を設けることができるようになっている。しかも、前記バルコニー３は、前記支持壁４によって先端部を支持されていることから、前記バルコニー３の側面と支持壁４とを境目のない連続した壁面として設けることができるので、外観性を向上させることが可能となっている。
【００２９】
前記支持壁４は、図１に示すように、一面側が開放されて凹部空間５を有し、断面コ字状に形成されている。また、図示はしないが、前記支持壁４の表面には建物Ａの外壁面と同様のサイディング材が施されており、見映えが良く好ましい。さらに、前記支持壁４の凹部空間５には、雨水等に対する防水シートやサイディング材が取り付けられている。
【００３０】
このような支持壁４によれば前記凹部空間５を日用品等の収納スペースとして利用できるので、従来とは異なり、掃除用具や傘、レインコート等の外部で使用する物品を建物Ａ内に収納する必要がなくなり、建物Ａ内のスペースを広く確保することが可能となっている。
【００３１】
また、前記支持壁４の開放された一面と前記玄関開口部１とが対向するようにして前記玄関ポーチ２上に立設されており、これによって、前記凹部空間５の内部を外部の視線から防ぐことが可能となり、プライバシーを確保することができる。
【００３２】
さらに、前記支持壁４は、前記玄関開口部１と略同一の幅を有しているので、玄関ポーチ２に比較的大きい収納スペースを確保することができるようになっている。
【００３３】
そして、前記支持壁４が前記玄関開口部１と略同一の幅を有し、かつ該玄関開口部１に対向して配置されているので、前記玄関開口部１および玄関ポーチ２を外部の視線から防ぐことが可能となり、プライバシーを確保することができる。
その上、前記玄関開口部１および玄関ポーチ２に向かって射し込む太陽光や、前記玄関開口部１および玄関ポーチ２に向かって打ち込む雨や雪、風等を、前記支持壁４によって効果的に防ぐことができるようになっている。
【００３４】
なお、プライバシーの確保については、上述のように前記玄関開口部１と前記支持壁４とが略同一の幅を有していることで、特に、建物Ａが南入の建物であった場合に、建物Ａの敷地に面した道路からの視線に対して、より有効的な遮蔽方法となるので好ましい。
【００３５】
次に、以上のような支持壁４を収納スペースとして利用する際の構成について詳細に説明する。
すなわち、前記支持壁４の開放された一面には、図１および図３に示すように、この開放された一面を開閉可能に覆う蓋板６が設けられた状態となっている。この蓋板６は、図３に示すように、引き戸のように水平方向にスライドさせることによって前記凹部空間５を開閉することができるようになっている。
【００３６】
これによって、前記支持壁４の凹部空間５を開閉戸が設けられた収納スペースとして利用することが可能となっている。そして、前記蓋板６によって前記凹部空間５の遮蔽ができるので、前記凹部空間５の内部を、玄関ポーチ２および外部の視線から防ぐことが可能となり、見映えが良く、プライバシーを確保することもできる。
【００３７】
また、前記支持壁４には、前記凹部空間５の内部と外部とを連通する通気孔７が設けられており、これによって、前記凹部空間５の通気性を向上させることが可能となるので、前記凹部空間５に、雨に濡れた傘やレインコート等を収納する際に、乾燥を促すことができて好適に対応することができる。
つまり、前記支持壁４は、上述したように、前記玄関ポーチ２に設けられるものであるから、前記凹部空間５には、前記傘やレインコートのように外で使用して、建物Ａ内では使用しないものを収納する場合がある。特に、前記傘やレインコートのようなものは、濡れている場合には乾燥させなければならないので、前記通気孔７を支持壁４に設けて乾燥を促すことが望ましい。
【００３８】
なお、前記凹部空間５に収納するものとしては、前記傘やレインコートの他にも、例えば掃除用具や、アウトドア用品等、建物Ａの外部で使用する物品が好適であるが、これに限られるのではなく、居住者の生活様式に合わせて適宜変更可能であることは言うまでもない。
【００３９】
次に、凹部空間５を利用して設ける郵便受けについて説明する。
すなわち、図４に示すように、前記支持壁４には、郵便物類を投入するための郵便投入部８が、前記凹部空間５の内部と外部とを連通するようにして設けられ、前記凹部空間５内には、前記郵便投入部８から投入される郵便物を受ける郵便受け部９が設けられた状態となっている。
【００４０】
前記郵便投入部８は、前記支持壁４に埋設された状態となっており、前記凹部空間５側に向かってのみ開く投入扉８ａが設けられている。
また、前記郵便受け部９は、前記郵便投入部８と一体的に形成されており、箱状を成して前記凹部空間５内に設けられている。さらに、この郵便受け部９には、投入扉
８ａと対向するようにして、郵便物類を取り出すための取出口９ａが設けられている。この取出口９ａには、取出口９ａを開閉する扉９ｂが設けられているとともに、この扉９ｂに把手部９ｃが形成されている。
【００４１】
そして、このように前記支持壁４に郵便投入部８を、前記凹部空間５に郵便受け部９を設けることによって、前記玄関ポーチ２周辺のその他の場所に郵便受けを設ける必要がなく、玄関ポーチ２の周囲をすっきりさせることができるので、外観性をより向上させることが可能となる。
【００４２】
なお、前記凹部空間５の利用方法として本実施の形態においては、収納スペースとしての利用を始め、郵便受けとしての利用についても説明したが、これに限られるものではなく、本発明の趣旨を逸脱しない範囲で適宜変更可能である。
【００４３】
以上のような本実施の形態の建物Ａによれば、外部からの視線を防いでプライバシーを確保するとともに、風雨等を効果的に防ぐことができ、しかも、玄関ポーチ２において物品を収納することが可能となっている。
【図面の簡単な説明】
【００４４】
【図１】本発明の建物の間取りを示す平面図である。
【図２】図１の建物の外観を示す正面図である。
【図３】図１の建物に設けられた支持壁を示す斜視図である。
【図４】支持壁に設けられた郵便受けを示す側断面図である。
【符号の説明】
【００４５】
Ａ  建物
１  玄関開口部
２  玄関ポーチ
３  バルコニー
４  支持壁
５  凹部空間
【図１】
2007170026.tif 000003
【図２】
2007170026.tif 000004
【図３】
2007170026.tif 000005
【図４】
2007170026.tif 000006